(57)【要約】【課題】指で押圧キートップ５、６を押圧して操作する際に、この指５６、やこの指の爪５７がケース９に触れてもケース９が邪魔にならず、押圧キートップ５、６が操作し易い押圧キートップ構造１を提供する。【解決手段】使用者が上部押圧キートップ５を押圧操作する際、使用者の指先５４が上部押圧キートップ５に当たると同時に、使用者の指腹５５が表示板７の上部に当たることがある。この場合、上部押圧キートップ５が押圧され後方に移動するに従い、表示板７は、上部支持ばね２０の付勢力に抗してケース９の軸部２６を中心に回動し、上部押圧キートップ５側に傾く。  使用者は上部押圧キートップ５の押圧操作を止めると、上部押圧キートップ５は上部キートップばね５２の付勢力により前方へ移動し元の位置に戻り、表示板７は上部支持ばね２０の付勢力によりケース９の開口部の開口面と平行状態となる元の位置に戻る。【選択図】図１
2010165513.tif 000002
【特許請求の範囲】
【請求項１】
一面に開口部を備えたケースと、
前記開口部に該開口部の開口面と直交する方向に移動可能に設けられた押圧キートップと、
前記ケースの前記開口部に、前記押圧キートップと隣接するように設けられた表示板とを有する押圧キートップ構造において、
前記表示板を、該表示板における前記押圧キートップと隣接する側の端部が前記直交する方向と略同じ方向に回動変位するように回動可能に、前記ケースの開口部に設けたことを特徴とする押圧キートップ構造。
【請求項２】
前記押圧キートップは、複数離間して設けられ、前記表示板は前記複数の押圧キートップ間に位置することを特徴とする請求項１に記載の押圧キートップ構造。
【請求項３】
前記表示板は、その裏側からその回動中心軸に対して対称に位置する２個のばねで支持され、通常時は前記ケースの開口部の開口面と平行な状態になることを特徴とする請求項１または２に記載の押圧キートップ構造。
【請求項４】
前記表示板はその裏側にばね穴を一体に備え、
前記ケース内部には節度谷を備え、
前記ばね穴には、ばねと球状の節度ピースとを収容し、
前記節度ピースが前記ばねの付勢力で前記節度谷に圧接するようにし、
前記表示板の回動に節度を付与し、通常時は前記ケースの開口部の開口面と平行な状態になることを特徴とする請求項１または２に記載の押圧キートップ構造。
【発明の詳細な説明】
【技術分野】
【０００１】
本発明は、スイッチなどを押圧操作する押圧キートップを備えた押圧キートップ構造に関する。
【背景技術】
【０００２】
従来、スイッチなどを押圧操作する押圧キートップを備えた押圧キートップ構造として、ケース上面に縦に並んだ２個の開口部を設け、この２個の開口部内にそれぞれ収容される押圧キートップを上下動自在に設置し、この２個の縦に並んだ開口部の間に位置し上記ケースの上面にスライド式スイッチである電子部品の設置部を備えた押圧キートップ構造がある（特許文献１参照）。
この押圧キートップ構造は、開口部から露出する押圧キートップを指などで押圧操作して降下させることで、その下に配置したスイッチなどの電子部品を操作できるようになっている。
【先行技術文献】
【特許文献】
【０００３】
【特許文献１】特開２００６−３４４５１５号公報
【発明の概要】
【発明が解決しようとする課題】
【０００４】
特許文献１に記載のような従来の押圧キートップ構造は、ケース上面に、縦に並んだ２個の開口部とこの２個の開口部の間に位置する電子部品設置部とを備えている。そして、この２個の開口部から押圧キートップの上面を露出させている。しかしながらこの押圧キートップ構造では、指でこれらの押圧キートップを押圧して操作する際に上記電子部品設置部の縁部(ケースの一部)に指または爪が触れてしまい、該押圧キートップが押し難く操作性が悪いという問題がある。
【０００５】
本発明は、上記事情に鑑みてなされたものであり、その目的は、指で押圧キートップを押圧して操作する際に、この指やこの指の爪が上記ケースに触れても該ケースが邪魔にならず、押圧キートップが操作し易い押圧キートップ構造を提供することにある。
【課題を解決するための手段】
【０００６】
上記目的を達成するため、本発明に係る押圧キートップ構造は、一面に開口部を備えたケースと、前記開口部に該開口部の開口面と直交する方向に移動可能に設けられた押圧キートップと、前記ケースの前記開口部に、前記押圧キートップと隣接するように設けられた表示板とを有する押圧キートップ構造において、前記表示板を、該表示板における前記押圧キートップと隣接する側の端部が前記直交する方向と略同じ方向に回動変位するように回動可能に、前記ケースの開口部に設けたことを特徴とする。
【発明の効果】
【０００７】
本発明によれば、指で押圧キートップを押圧して操作する際に、この指やこの指の爪が上記ケースに設けられた上記表示板に触れても該表示板における押圧キートップと隣接する側の端部が押圧キートップと略同方向に回動変位するから、上記表示板が邪魔にならず、上記押圧キートップが操作し易くなる押圧キートップ構造を提供することができる。
【図面の簡単な説明】
【０００８】
【図１】第１の実施形態に係る押圧キートップ構造を備えるスイッチ装置の動作時状態を示す縦断左側面拡大図
【図２】押圧キートップ構造を備えたスイッチ装置の全体斜視図
【図３】押圧キートップ構造を備えたスイッチ装置の分解斜視図
【図４】押圧キートップ構造を備えたスイッチ装置の通常時状態を示す縦断左側面拡大図
【図５】第２の実施形態に係る図４相当図
【図６】図１相当図
【発明を実施するための形態】
【０００９】
（第１の実施形態）
以下、本発明の第１の実施形態につき、図１ないし図４を参照して説明する。
図２に示すように、スイッチ装置２の表面には縦に並ぶ上部押圧キートップ５、下部押圧キートップ６およびこれらの間に表示板７が配置された構成となっている。本実施形態に係るスイッチ装置２は、例えば、自動車のシートヒータ（図示せず）の温度調節に用いられる。上部押圧キートップ５を押圧操作するとシート温度が高温に設定または設定解除され、下部押圧キートップ６を押圧操作するとシート温度が低温に設定または設定解除される。
【００１０】
図３に示すように、スイッチ装置２は、押圧キートップ構造１、回路基板部３およびコネクタ部４を備える。
押圧キートップ構造１は、プラスチックからなる、ケース９、上部押圧キートップ５、下部押圧キートップ６および表示板７を主な部材として構成される。なお、表示板７はケース９の一部をなしている。
【００１１】
ケース９は、図２および図３にも示すように、四角筒形状をなすものである。
ケース９には、その内部を上下３段に仕切るように上部仕切り壁１０および下部仕切り壁１１が形成されている。ケース９内部には上部仕切り壁１０の上方側部分（図３中、上側）にケース９に対して前後方向に摺動移動自在に上部押圧キートップ５を収容する上部収容部１２が形成され、下部仕切り壁１１の下方側部分にケース９に対して前後方向に摺動移動自在に下部押圧キートップ６を収容する下部収容部１３が形成されている。
【００１２】
上部収容部１２の内壁上面の左右方向中央部には、ケース９の前後方向に伸びる上部上溝１４が形成され、上部収容部１２の内壁左右両面の上下方向中央部には、ケース９の前後方向に伸びる上部左溝１５、上部右溝１６がそれぞれ形成されている。
下部収容部１３の内壁下面の左右方向中央部には、ケース９の前後方向に伸びる下部下溝１７が形成され、下部収容部１３の内壁左右両面の上下方向中央部には、ケース９の前後方向に伸びる下部左溝１８、下部右溝１９がそれぞれ形成されている。
【００１３】
上部仕切り壁１０の左右方向中央部には、後述する表示板の上部支持ばね２０が収容される上部ばね収容部２１がその開口部をケース９前方に向けて前後方向に形成されており、下部仕切り壁１１の左右方向中央部には、後述する表示板７の下部支持ばね２２が収容される下部ばね収容部２３がその開口部をケース９前方に向けて前後方向に形成されている。
【００１４】
ケース９の外周壁の前端面には、上下方向中央部の左右両側に一対の左側表示板取付片２４と右側表示板取付片２５とが方形板状に前方に延出する形態で一体形成されている。左側表示板取付片２４および右側表示板取付片２５には、それぞれケース９左右外側に突設する軸部２６、２６（図３では一方のみ図示）が一体に形成されている。
【００１５】
ケース９の外周壁両上下面の後方位置には、それぞれ後述するコネクタハウジング８の係合突起２７、２７（図４参照）が係合する係合穴２８、２８（図４参照）が形成されている。
上部支持ばね２０および下部支持ばね２２は、それぞれケース９内の上部ばね収容部２１および下部ばね収容部２３に収容される。両上下部ばね収容部２１、２３は、後述の表示板７の回動中心軸に対して対称となるように位置している。
【００１６】
表示板７は、略方形板状に形成され、その裏面において上下方向中央部の左右両端には一対の左側方形板状片２９および右側方形板状片３０（図３参照）が後方に延出する形態で表示板７に一体に形成されている。左側方形板状片２９および右側方形板状片３０（図３参照）の中心には、左側表示板取付片２４および右側表示板取付片２５の軸部２６、２６を支承する軸受穴３１、３１が形成されている。表示板７は、軸部２６、２６が軸受穴３１、３１に嵌ることにより、ケース９に対して回動可能に取り付けられることになる。
【００１７】
表示板７は、その裏面の上部ばね収容部２１および下部ばね収容部２３と対向する位置に、上部ばね作用部３２ａおよび下部ばね作用部３２ｂとを一体に備える（図４参照）。さらに、上部ばね作用部３２ａおよび下部ばね作用部３２ｂは、その後端面にそれぞれ後方に延出する上部突出部３３ａおよび下部突出部３３ｂとを一体に備える（図４参照）。
【００１８】
上部支持ばね２０および下部支持ばね２２のそれぞれの前端は、表示板７の裏面にある上部突出部３３ａおよび下部突出部３３ｂに嵌合している。上部支持ばね２０および下部支持ばね２２の全長は同一であるため上部ばね作用部３２ａおよび下部ばね作用部３２ｂにそれぞれ同一の大きさの付勢力が作用するため、通常時（図４参照）状態の表示板７はケース９の開口部の開口面と平行な状態となる。
【００１９】
表示板７の前面には、上部押圧キートップ５および下部押圧キートップ６がシートヒータの温度設定に用いられることを示すためのマークが形成されている（図２参照）。このマークにより使用者は上下部押圧キートップ５、６に操作される機能を判別することができる。
上部押圧キートップ５は上部キートップ部３４と上部脚部３５とを一体に有する構成である。上部キートップ部３４は扁平略直方体をなし、上部脚部３５はその縦断面が上部キートップ部３４より小さい略直方体で後方に延出形成されている。
【００２０】
上部キートップ部３４の前面には「Ｈｉ」の文字が形成されている（図２参照）。これは、上部押圧キートップ５を押圧操作するとシートヒータの温度が高温に設定または設定解除されることを表示している。
上部脚部３５の上面の左右方向中央部には、ケース９の前後方向に伸びる上部上凸条部３８が形成され、上部脚部３５の左右両面の上下方向中央部には、ケース９の前後方向に伸びる上部左凸条部３９、上部右凸条部４０がそれぞれ形成されている。
【００２１】
上部押圧キートップ５の上部上凸条部３８、上部左凸条部３９および上部右凸条部４０は、それぞれケース９の上部収容部１２の上部上溝１４、上部左溝１５および上部右溝１６に対して移動可能に嵌合し、上部押圧キートップ５は上部収容部１２内にケース９の前後方向に摺動移動自在に収容される。
【００２２】
下部キートップ部３６の前面には「Ｌｏ」の文字が形成されている（図２参照）。これは、下部押圧キートップ６を押圧操作するとシートヒータの温度が低温に設定または設定解除されることを表示している。
【００２３】
下部脚部３７の下面の左右方向中央部には、ケース９の前後方向に伸びる下部下凸条部４１（図４参照）が形成され、下部脚部３７の左右両面の上下方向中央部には、ケース９の前後方向に伸びる下部左凸条部４２（図３参照）、下部右凸条部４３がそれぞれ形成されている。
【００２４】
下部押圧キートップ６の下部下凸条部４１（図４参照）、下部左凸条部４２および下部右凸条部４３は、それぞれケース９の下部収容部１３の下部下溝１７、下部左溝１８および下部右溝１９に対して移動可能に嵌合し、下部押圧キートップ６は下部収容部１３内にケース９の前後方向に摺動移動自在に収容される。
【００２５】
図３に示すように、回路基板部３は、回路基板４４、上部プッシュスイッチ４５および下側プッシュスイッチ４６を主な部材として構成される。
回路基板４４は、長方形をなし、コネクタハウジング８の前方開口端と略同じ大きさである。回路基板４４の前面にあって、左右方向中心部の上部押圧キートップ５後端面と対向する位置に上部プッシュスイッチ４５が配置されており、下部押圧キートップ６後端面と対向する位置に下側プッシュスイッチ４６が配置されている。回路基板４４の左右方向中心から左側よりの位置に上下方向上から順に４個のスルーホール４７ａ、４７ｂ、４７ｃ、４７ｄが形成されている。
【００２６】
回路基板４４に導体（図示せず）がプリント形成されることにより、上部プッシュスイッチ４５の可動子（図示せず）とスルーホール４７ａとが電気的に接続され、上部プッシュスイッチ４５の固定子(図示せず)とスルーホール４７ｂとが電気的に接続される。また、回路基板４４に導体（図示せず）がプリント形成されることにより、下側プッシュスイッチ４６の可動子（図示せず）とスルーホール４７ｃとが電気的に接続され、下側プッシュスイッチ４６の固定子(図示せず)とスルーホール４７ｄとが電気的に接続される。
【００２７】
コネクタ部４は、プラスチックからなり、図３に示すように、ケース嵌合部４８と接続部４９とを一体に有する構成である。ケース嵌合部４８は、四角筒形をなし、ケース９の後方開口部に嵌合する形態でケース９内部に収容される。接続部４９は、ケース嵌合部４８より小形の四角筒形をなし、外部ケーブルや電装品等のコネクタ（図示せず）と接続される。
【００２８】
ケース嵌合部４８と接続部４９との間に仕切板５０は形成されている。仕切板５０にあって、４本のコンタクタピン５１ａ、５１ｂ、５１ｃ、５１ｄは、それぞれ４個のスルーホール４７ａ、４７ｂ、４７ｃ、４７ｄと対向する位置で貫通する形態でケース９の前後方向に植設されている。
図４に示すように、回路基板部３は、コネクタ部４のケース嵌合部４８前面開口部を塞ぐように、ケース嵌合部４８の前面開口端に接着固定される。そして、４本のコンタクタピン５１ａ、５１ｂ、５１ｃ、５１ｄの先端が、それぞれ４個のスルーホール４７ａ、４７ｂ、４７ｃ、４７ｄに挿入し電気的に接続される。
【００２９】
以上により、上部プッシュスイッチ４５の可動子（図示せず）とスルーホール４７ａとコンタクタピン５１ａとが電気的に接続され、上部プッシュスイッチ４５の固定子(図示せず)とスルーホール４７ｂとコンタクタピン５１ｂとが電気的に接続される。また、下側プッシュスイッチ４６の可動子（図示せず）とスルーホール４７ｃとスルーホール４７ｃとが電気的に接続され、下側プッシュスイッチ４６の固定子(図示せず)とスルーホール４７ｄとスルーホール４７ｄとが電気的に接続される。
【００３０】
コネクタ部４は、回路基板部３が取り付けられた状態で、コネクタ部４の係合突起２７、２７とケース９の係合穴２８、２８とが係合するまでケース９の後方より挿入固定されている。ケース嵌合部４８はケース９内部に収容される。
【００３１】
ケース９の上部収容部１２内であって、上部押圧キートップ５後端面と回路基板４４との間に上部キートップばね５２が収容されている。上部キートップばね５２の内部に上記上部プッシュスイッチ４５が位置する。ケース９の下部収容部１３内であって、下部押圧キートップ６後端面と回路基板４４との間に下部キートップばね５３が収容されている。下部キートップばね５３の内部に下部プッシュスイッチ４６が位置する。
【００３２】
次に図１、４を用いて押圧キートップ構造１を備えたスイッチ装置２の動作について説明する。
使用者が上部押圧キートップ５を押圧操作する際、使用者の指先５４が上部押圧キートップ５に当たると同時に、使用者の指腹５５が表示板７の上部に当たることがある。この場合、上部押圧キートップ５が押圧され後方に移動するに従い、表示板７は、上部支持ばね２０の付勢力に抗してケース９の軸部２６、２６を中心に回動し、上部押圧キートップ５側に傾く（図１参照）。
【００３３】
そして、上部押圧キートップ５は、上部キートップばね５２の付勢力に抗して押圧され後方へ移動し、上部プッシュスイッチ４５をオンする。
使用者は上部押圧キートップ５の押圧操作を止めると、上部押圧キートップ５は上部キートップばね５２の付勢力により前方へ移動し元の位置に戻り、表示板７は上部支持ばね２０の付勢力によりケース９の開口部の開口面と平行状態となる元の位置に戻る。上部プッシュスイッチ４５はオフとなる。
【００３４】
図示はしないが、使用者が下部押圧キートップ６を押圧操作する際、使用者の指先５４が下部押圧キートップ６に当たると同時に、使用者の指先端５６または爪５７が表示板７の下部に当たることがある。この場合に、下部押圧キートップ６が押圧され後方に移動するに従い、表示板７は、下部支持ばね２２の付勢力に抗してケース９の軸部２６、２６を中心に回動し、下部押圧キートップ６側に傾く。
【００３５】
そして、下部押圧キートップ６は、下部プッシュスイッチ４６をオンする。
使用者は下部押圧キートップ６の押圧操作を止めると、下部押圧キートップ６は下部キートップばね５３の付勢力により前方へ移動し元の位置に戻り、表示板７は下部支持ばね２２の付勢力によりケース９の開口部の開口面と平行状態となる元の位置に戻る。下部プッシュスイッチ４６はオフとなる。
このように本実施形態に係る押圧キートップ構造１は、表示板７を、表示板７における上部押圧キートップ５または下部押圧キートップ６と隣接する側の端部がケース９開口部の開口面と直交する方向と略同じ方向に回動変位するように回動可能に、ケース９の開口部に設けた。
【００３６】
この構成によれば、指で上部押圧キートップ５または下部押圧キートップ６を押圧操作する際に、この指やこの指の爪がケース９の一部である表示板７に触れても表示板７における押圧された上部押圧キートップ５または下部押圧キートップ６と隣接する側の端部が押圧された上部押圧キートップ５または下部押圧キートップ６と略同方向に回動変位するから、表示板７が邪魔にならず、上部押圧キートップ５または下部押圧キートップ６が操作し易くなる押圧キートップ構造１を提供することができる。
【００３７】
さらに、上部押圧キートップ５と下部押圧キートップ６とは離間して設けられ、表示板７は上部押圧キートップ５と下部押圧キートップ６との間に位置する。これにより、表示板７は二つの異なる出力形態を操作する上部押圧キートップ５および下部押圧キートップ６の機能を表示することができる。
【００３８】
さらに、表示板７は、その裏側からその回動中心軸に対して対称に位置する２個の上部支持ばね２０および下部支持ばね２２で支持され、通常時（図４参照）はケース９の開口部の開口面と平行な状態になっている。上部押圧キートップ５または下部押圧キートップ６が押圧操作された際、表示板７は上部押圧キートップ５または下部押圧キートップ６の押圧操作された側に傾く。そして、使用者が押圧操作を止めると、表示板７は上部支持ばね２０または下部支持ばね２２の付勢力によって、ケース９の開口部の開口面と平行状態である元の状態に戻ることができる。
【００３９】
このため、上部押圧キートップ５または下部押圧キートップ６を操作しない通常時では、常に、表示板７はケース９の開口部の開口面と平行状態にあり、表示板７はその表面に形成されたマークにより上部押圧キートップ５および下部押圧キートップ６の機能を表示することができる。
【００４０】
（第２の実施形態）
本発明の第２の実施形態につき、主に図５、６を参照して説明する。図５は本実施形態に係る押圧キートップ構造６１を備えたスイッチ装置６２の通常時状態の縦断左側面拡大図を示し、図６は本実施形態に係る押圧キートップ構造６１を備えたスイッチ装置６２の動作時状態の縦断左側面拡大図を示している。なお、上記第１の実施形態と同一部分には同一符号を付し、その詳細な説明は省略する。本実施形態に係る構成は、表示板６３の動作に関わる構成が第１の実施形態と異なる。
【００４１】
図５に示すように、スイッチ装置６２は、押圧キートップ構造６１、回路基板部３およびコネクタ部４を備える。
押圧キートップ構造１は、プラスチックからなる、ケース９、上部押圧キートップ５、下部押圧キートップ６および表示板６３を主な部材として構成される。なお、表示板６３はケース９の一部をなしている。
【００４２】
表示板６３は、略方形板状に形成され、その裏面において上下方向中央部の左右両端に一対の左側方形板状片２９および右側方形板状片３０（図３参照）が後方に延出する形態で表示板６３に一体に形成されている。左側方形板状片２９および右側方形板状片３０（図３参照）の中心には、左側表示板取付片２４（図３参照）および右側表示板取付片２５の軸部２６、２６を支承する軸受穴３１、３１が形成されている。表示板６３は、軸部２６、２６が軸受穴３１、３１に回動可能に嵌ることにより、ケース９に対して回動可能に取り付けられることになる。
【００４３】
表示板６３の中央部の裏側には、ロッド６４を取付けて一体化しており、このロッド６４は先端部にばね穴６５を有している。回路基板４４は、表示板６３側の面の中央部に谷底が位置する後方に凸となる節度谷６６を有する。
ロッド６４のばね穴６５には、ばね６７と球状の節度ピース６８とを収容して、節度ピース６８がばね６７の付勢力で節度谷６６に圧接するようにしており、これらによって表示板６３の回動に節度を付与する節度機構を構成している。通常時（図５参照）状態の表示板６３は、節度ピース６８が節度谷６６の谷底にばね６７の付勢力により当接しているため、ケース９の開口部の開口面と平行な状態となる。
【００４４】
次に図５、６を用いて押圧キートップ構造６１を備えたスイッチ装置６２の動作について説明する。
使用者が下部押圧キートップ６を押圧操作する際、使用者の指先５４が下部押圧キートップ６に当たると同時に、使用者の指先端５６または爪５７が表示板６３の下部に当たることがある。この場合、下部押圧キートップ６が押圧され後方に移動するに従い、節度ピース６８は、ばね６７の付勢力に抗して節度谷６６を図５において前方に登らせつつ、表示板６３をケース９の軸部２６、２６を中心に回動させ、下部押圧キートップ６側に傾く（図６参照）。
【００４５】
そして、下部押圧キートップ６は、下部キートップばね５３の付勢力に抗して押圧され後方へ移動し、下部プッシュスイッチ４６をオンする。
使用者は下部押圧キートップ６の押圧操作を止めると、下部押圧キートップ６は下部キートップばね５３の付勢力により前方へ移動し元の位置に戻り、表示板６３は、ばね６７の付勢力により節度ピース６８が節度谷６６の谷底に戻るため、ケース９の開口部の開口面と平行状態となる元の位置に戻る。下部プッシュスイッチ４６がオフとなる。
【００４６】
図示はしないが、使用者が上部押圧キートップ５を押圧操作する際、使用者の指先５４が上部押圧キートップ５に当たると同時に、使用者の指腹５５が表示板６３の上部に当たることがある。この場合、上部押圧キートップ５が押圧され後方に移動するに従い、節度ピース６８は、ばね６７の付勢力に抗して節度谷６６を図５において前方に登らせつつ、表示板６３をケース９の軸部２６、２６を中心に回動させ、上部押圧キートップ５側に傾く。
【００４７】
そして、上部押圧キートップ５は、上部キートップばね５２の付勢力に抗して押圧され後方へ移動し、上部プッシュスイッチ４５をオンする。
使用者は上部押圧キートップ５の押圧操作を止めると、上部押圧キートップ５は上部キートップばね５２の付勢力により前方へ移動し元の位置に戻り、表示板６３は、ばね６７の付勢力により節度ピース６８が節度谷６６の谷底に戻るため、ケース９の開口部の開口面と平行状態となる元の位置に戻る。下部プッシュスイッチ４６はオフとなる。
【００４８】
このように本実施形態に係る押圧キートップ構造６１は、表示板６３はその裏側にばね穴６５を一体に備え、ケース９内部には節度谷６６を備え、ばね穴６５には、ばね６７と球状の節度ピース６８とを収容し、節度ピース６８がばね６７の付勢力で節度谷６６に圧接するようにし、表示板６３の回動に節度を付与し、通常時はケース９の開口部の開口面と平行な状態になる。
【００４９】
このため、上部押圧キートップ５または下部押圧キートップ６が押圧操作された際、表示板６３は上部押圧キートップ５または下部押圧キートップ６の押圧操作された側に傾く。そして、使用者が押圧操作を止めると、表示板６３は、ばね６７の付勢力によって節度ピース６８は節度谷６６の谷底に当接され、ケース９の開口部の開口面と平行状態である元の状態に戻ることができる。
【００５０】
このため、上部押圧キートップ５または下部押圧キートップ６を操作しない通常時では、常に、表示板６３はケース９の開口部の開口面と平行状態にあり、表示板６３はその表面に形成されたマークにより上部押圧キートップ５および下部押圧キートップ６の機能を表示することができる。
【００５１】
（その他の実施形態）
本発明は上記し且つ図面に記載した実施形態にのみ限定されるものではなく、以下のような変形又は拡張が可能である。
【００５２】
上記各実施形態では、上部押圧キートップ５、表示板７（６３）、下部押圧キートップ６が上下に並ぶ構成を例示したが、これらは前後に並ぶ構成でもよい。
また、上記各実施形態において、本発明が、自動車のシートヒータの温度調節に用いられる押圧キートップ構造に適用される例を示した。しかし、これに限ることはなく、本発明は、例えば、カーエアコンの温度調整、シートのポジションまたは姿勢の調整、サイドミラーの角度調整、カーナビの操作などに用いられる押圧キートップ構造に適用することができる。
【００５３】
また、上記各実施形態では、２個の押圧キートップ５、６を備える押圧キートップ構造１（６１）を例示したが、これに限ることはなく、本発明は、１個の押圧キートップとこれに上下または前後に隣接する表示板を備える押圧キートップ構造に適用することができる。
また、上記各実施形態では、２個の押圧キートップ５、６を備える押圧キートップ構造１（６１）を例示したが、これに限ることはなく、本発明は、３個以上の押圧キートップとこれらに上下または前後に隣接する１個以上の表示板を備える押圧キートップ構造に適用することができる。
【符号の説明】
【００５４】
図面中、１は押圧キートップ構造、２はスイッチ装置、５は上部押圧キートップ（押圧キートップ）、６は下部押圧キートップ（押圧キートップ）、７は表示板、９はケース、２０は上部支持ばね（ばね）、２２は下部支持ばね（ばね）、４４は回路基板、６１は押圧キートップ構造、６２はスイッチ装置、６３は表示板、６５はばね穴、６６は節度谷、６７はばね、６８は節度ピース。
【図１】
2010165513.tif 000003
【図２】
2010165513.tif 000004
【図３】
2010165513.tif 000005
【図４】
2010165513.tif 000006
【図５】
2010165513.tif 000007
【図６】
2010165513.tif 000008